(57)【特許請求の範囲】
【請求項１】
ケーシング（2）と、該ケーシング（2）に固定されたターミナルボックス（10）と、該ターミナルボックス（10）の開口端面（11a）に装着されるターミナルカバー（20）とを備え、
上記ターミナルボックス（10）にはターミナルカバー（20）を締結部材（18）で装着するための取付部（17）が設けられ、該ターミナルカバー（20）の裏面にはターミナルボックス（10）の開口端面（11a）と圧接するパッキン（23）が設けられた圧縮機であって、
上記取付部（17）は、ターミナルボックス（10）における相対する辺を構成する部分（15，16）の異なる奥行き位置に配置され、
ターミナルカバー（20）には、ターミナルボックス（10）に対する正規の取付位置で各取付部（17）に当接するストッパ（22）が設けられていることを特徴とする圧縮機。
【請求項２】
請求項１において、
上記取付部（17）は、ターミナルボックス（10）における相対する辺を構成する部分（15，16）に、異なるピッチで設けられていることを特徴とする圧縮機。
【発明の詳細な説明】
【技術分野】
【０００１】
本発明は、圧縮機に関し、特に、圧縮機のターミナルボックスにおけるターミナルカバーの取付構造に関するものである。
【背景技術】
【０００２】
従来より、海上輸送等に用いられるコンテナ庫内の冷却等を行うコンテナ用冷凍装置が利用されている。
【０００３】
例えば特許文献１には、この種のコンテナ用冷凍装置が開示されている。上記コンテナ用冷凍装置は、コンテナの前面開放部に取り付けられている。コンテナ用冷凍装置はフレームを有し、フレームの下側には、室外に臨む庫外側収納空間が形成されている。この庫外側収納空間には、圧縮機、凝縮器、庫外ファン等が設置されている。また、フレームの上側には、コンテナの庫内に臨む庫内側収納空間が形成されている。この庫内側収納空間には、蒸発器や庫内ファンが設置されている。このコンテナ用冷凍装置では、上記圧縮機、凝縮器、及び蒸発器等が冷媒配管で接続されて冷媒回路が構成されている。そして、この冷媒回路で冷媒が循環して冷凍サイクルが行われ、蒸発器においてコンテナの庫内空気が冷却される。
【０００４】
上記圧縮機は、密閉型のケーシング内に圧縮機構と電動機とが収納されたものであり、電動機によって圧縮機構を駆動して冷媒を圧縮するようになっている。圧縮機には、一般に、ケーシングの外面にターミナルボックスが固定されている。このターミナルボックスには、電動機と外部電源とを接続するためのターミナルが収納されている。
【０００５】
上記ターミナルボックスは、一端が開口したボックスであり、外部電源からの電源ケーブルをターミナルに接続した後、開口端にターミナルカバーが装着されるようになっている。このターミナルカバーの裏面には、ターミナルボックスの開口端に圧接する防水用のパッキンが設けられていて、ターミナルボックス内へ海水などが進入するのを防止するようにしている。
【特許文献１】特開２００４−３２５０２２号公報
【発明の開示】
【発明が解決しようとする課題】
【０００６】
上記ターミナルカバーは、ターミナルボックスに対してボルトなどで締め付けて、パッキン（クロロプレンスポンジゴムなどのパッキン）を変形させることで防水性が得られるようになっている。上記ターミナルカバーは冷凍装置の点検に伴う圧縮機の載せ替えなどを行うときにターミナルボックスから取り外されるが、通常は載せ替え用の予備の圧縮機のターミナルカバーがターミナルボックスに取り付けられている期間が長期間にわたるため、パッキンには変形跡が付いてしまっている。そして、ターミナルカバーを再びターミナルボックスに取り付けるときに取り付けの向きを間違うと、パッキンの変形跡とターミナルボックスの開口端との間に隙間が生じ、防水性が損なわれるおそれがある。
【０００７】
本発明は、かかる点に鑑みてなされたものであり、その目的は、圧縮機のターミナルボックスのターミナルカバーを着脱する際に防水性が損なわれないようにすることである。
【課題を解決するための手段】
【０００８】
第１の発明は、ケーシング（2）と、該ケーシング（2）に固定されたターミナルボックス（10）と、該ターミナルボックス（10）の開口端面（11a）に装着されるターミナルカバー（20）とを備え、上記ターミナルボックス（10）にはターミナルカバー（20）を締結部材（18）で装着するための取付部（17）が設けられ、該ターミナルカバー（20）の裏面にはターミナルボックス（10）の開口端面（11a）と圧接するパッキン（23）が設けられた圧縮機を前提としている。
【０００９】
そして、この圧縮機は、上記取付部（17）が、ターミナルボックス（10）における相対する辺を構成する部分（15，16）の異なる奥行き位置に配置され、ターミナルカバー（20）には、ターミナルボックス（10）に対する正規の取付位置で各取付部（17）に当接するストッパ（22）が設けられていることを特徴としている。
【００１０】
この第１の発明では、冷凍装置の点検に伴う圧縮機の載せ替えなどを行うときに予備の圧縮機のターミナルカバー（20）がターミナルボックス（10）から取り外される際、ターミナルカバー（20）がターミナルボックス（10）に取り付けられていた期間が長期間にわたっていた場合、パッキン（23）に変形跡が付いているのが普通である。ここで、ターミナルカバー（20）をターミナルボックス（10）に再び装着するときは、ターミナルボックス（10）に対してターミナルカバー（20）を逆向きに取り付けることはできない。つまり、ターミナルカバー（20）は、ターミナルボックス（10）から取り外す前と必ず同じ向きに取り付けられる。
【００１１】
具体的には、ターミナルボックス（10）に設けた取付部（17）の奥行き位置を上下または左右などの対になる部分（15，16）で異なるようにしているので、ターミナルカバー（20）の向きを間違えてターミナルボックス（10）に装着しようとすると、ストッパ（22）と取付部（17）の奥行き位置が合わないことになる。このため、ターミナルボックス（10）にターミナルカバー（20）を取り付けることができない。したがって、ターミナルカバー（20）は、ターミナルボックス（10）から取り外す前と必ず同じ向きに取り付けられる。
【００１２】
第２の発明は、第１の発明において、上記取付部（17）が、ターミナルボックス（10）における相対する辺を構成する部分（15，16）に、異なるピッチで設けられていることを特徴としている。
【００１３】
この第２の発明では、ターミナルボックス（10）に設けた取付部（17）のピッチを上下または左右などの対になる部分（15，16）で異なるようにしているので、ターミナルカバー（20）の向きを間違えてターミナルボックス（10）に装着しようとすると、締結部材（18）が取付部（17）に対する正規の取付位置からずれることになる。このため、ターミナルボックス（10）にターミナルカバー（20）を取り付けることができない。したがって、ターミナルカバー（20）は、ターミナルボックス（10）から取り外す前と必ず同じ向きに取り付けられる。
【発明の効果】
【００１４】
本発明によれば、ターミナルカバー（20）をターミナルボックス（10）に着脱するときに、ターミナルボックス（10）に対してターミナルカバー（20）を逆向きに取り付けることができないため、ターミナルカバー（20）は、ターミナルボックス（10）から取り外す前と必ず同じ向きに取り付けられる。したがって、パッキン（23）が元と同じ位置及び向きでターミナルボックス（10）の開口端面（11a）を塞ぐから、パッキン（23）の変形跡とターミナルボックス（10）の開口端面（11a）の位置ずれによる隙間が生じない。そのため、ターミナルカバー（20）の再装着後にターミナルボックス（10）の防水性が損なわれることを防止できる。
【００１５】
具体的には、ターミナルボックス（10）に設けた取付部（17）の奥行き位置を上下または左右などの対になる部分（15，16）で異なるようにしているので、ターミナルカバー（20）の向きを間違えてターミナルボックス（10）に装着しようとすると、ストッパ（22）が取付部（17）の奥行き位置に合わなくなる。したがって、ターミナルボックス（10）にターミナルカバー（20）を取り付けることができず、ターミナルカバー（20）がターミナルボックス（10）から取り外す前と必ず同じ向きに取り付けられることになるから、再装着後の防水性を確保できる。
【００１６】
上記第２の発明によれば、ターミナルボックス（10）に設けた取付部（17）のピッチを上下または左右などの対になる部分（15，16）で異なるようにしているので、ターミナルカバー（20）の向きを間違えてターミナルボックス（10）に装着しようとすると、締結部材（18）が取付部（17）に対する正規の取付位置からずれることになる。したがって、ターミナルボックス（10）にターミナルカバー（20）を取り付けることができず、ターミナルカバー（20）がターミナルボックス（10）から取り外す前と必ず同じ向きに取り付けられることになるから、再装着後の防水性を確保できる。また、取付部（17）のピッチを上下または左右でずらすだけでよい。
【発明を実施するための最良の形態】
【００１７】
以下、本発明の実施形態を図面に基づいて詳細に説明する。
【００１８】
《発明の前提技術》
本発明の前提技術について説明する。
【００１９】
この前提技術は、海上輸送等に用いられるコンテナの庫内を冷却するコンテナ用冷凍装置の冷媒回路において、冷凍サイクルの圧縮行程を行う圧縮機に関するものである。
【００２０】
この圧縮機（1）は、外観図である図１に示すように縦型円筒状で全密閉型のケーシングを備え、図示していないがケーシング内に圧縮機構と電動機とを収納している。また、上記コンテナ用冷凍装置は、コンテナ（図示せず）の前面開放部に取り付けられている。コンテナ用冷凍装置はフレームを有するものであって、フレームの下側には、室外に臨む庫外側収納空間が形成されている。この庫外側収納空間には、上記圧縮機（1）の他に、凝縮器や庫外ファン等が設置されている。また、フレームの上側には、コンテナの庫内に臨む庫内側収納空間が形成されていて、この庫内側収納空間には蒸発器や庫内ファンが設置されている。このコンテナ用冷凍装置では、上記圧縮機（1）、凝縮器、及び蒸発器等が冷媒配管で接続されて冷媒回路が構成されている。
【００２１】
上記圧縮機（1）のケーシング（2）には、吸入配管（3）を接続するための吸入配管接続口（4）がケーシング（2）の胴部（2a）の下部寄りの位置に設けられ、吐出配管（5）を接続するための吐出配管接続口（6）がケーシング（2）のトッププレート（2b）に設けられている。また、ケーシング（2）のボトムプレート（2c）には、圧縮機（1）をコンテナ用冷凍装置のフレーム（図示せず）に固定するための脚部（7）が設けられている。
【００２２】
上記ケーシング（2）の胴部（2a）の外側面には、ターミナルボックス（10）が固定されている。このターミナルボックス（10）は、内部構造は図示していないが、電動機と外部電源とを接続するためのターミナルを収納するものである。
【００２３】
上記ターミナルボックス（10）は、一端（図の左側端面）が開口した概ね直方体のボックスであり、外部電源からの電源ケーブル（9）を該ターミナルボックス（10）の下面から通して内部のターミナルに接続した後、開口端面にターミナルカバー（20）が装着されるようになっている。なお、ターミナルボックス（10）の下面には電源ケーブル（9）とターミナルカバー（20）の間に生じ得る隙間を塞ぐための防水コネクタ（8）が設けられている。
【００２４】
ターミナルボックス（10）とターミナルカバー（20）の形状を図２（Ａ）〜図２（Ｄ）に示している。図２（Ａ）はターミナルボックス（10）の正面図、図２（Ｂ）はターミナルボックス（10）の底面図、図２（Ｃ）はターミナルカバー（20）の背面図、図２（Ｄ）はターミナルボックス（10）にターミナルカバー（20）を取り付けた状態の要部断面図である。
【００２５】
ターミナルボックス（10）は、プレス加工による深絞りで一体成形されたボックス本体（11）を有している。このボックス本体（11）は、圧縮機（1）のケーシング（2）における胴部（2a）の湾曲形状に沿って湾曲した固定板（12）と、その周囲から起ち上がった天板（13）及び底板（14）と左右の側板（15，16）とを有し、固定板（12）、天板（13）、底板（14）、及び各側板（15，16）は、湾曲したコーナー部を介して互いにつながっている。固定板（12）には、圧縮機（1）のケーシング（2）に固定される配線接続用ターミナル（図示せず）が位置する開口（12a）が設けられている。また、底板（14）には、上記防水コネクタ（8）を接続するためのコネクタ接続孔（14a）が形成されている。このターミナルボックス（10）は、上記固定板（12）を圧縮機（1）のケーシング（2）に数カ所で溶接した後、継ぎ目の全周がシリコン系のコーキング剤で埋められるようになっている。
【００２６】
ターミナルカバー（20）は、四角く薄いトレイ状のカバーであり、閉塞板（21）と、その上下左右の縁部を折り曲げて形成した折り返し部（22）とを有している。このターミナルカバー（20）の閉塞板（21）の裏面には、ターミナルボックス（10）の開口端面（11a）と圧接するクロロプレンスポンジゴムなどのパッキン（23）が設けられていて、ターミナルボックス（10）内へ海水などが進入するのを防止するようにしている。パッキン（23）の縦横の寸法はターミナルボックス（10）の縦横の寸法よりも一回り大きく、ターミナルカバー（20）の閉塞板（21）は、このパッキン（23）よりも幅が広く形成されている。なお、ターミナルカバー（20）の閉塞板（21）の上部には、上下方向の向きを作業者に視覚的に認識させるためのプレスマーク（21a）が付けられている。このプレスマーク（21a）は、ターミナルカバー（20）を取り付けるときの向きを示すための補助的な目印として設けられている。
【００２７】
カバー本体の左右の側板（15，16）には、ターミナルカバー（20）をボルト（締結部材）（18）で締め付けて固定するためのステー（取付部）（17）が設けられている。このステー（17）は、相対する左右の側板（15，16）に２つずつ設けられており、左側板（15）におけるねじ穴（17a）の上下のピッチ（P1）が右側板（16）におけるねじ穴（17a）の上下のピッチ（P2）よりも大きな寸法に設定されている。これに対応して、ターミナルカバー（20）をボルト（18）でステー（17）に取り付けるためにターミナルカバー（20）に形成されているボルト通し孔（24）のピッチも左右で異なり、左側のピッチ（図は背面図であるため右側に現れているピッチとなる）が上記ピッチ（P1）に一致し、右側（図の左側）のピッチが上記ピッチ（P2）に一致している。なお、ターミナルボックス（10）のステー（17）もターミナルカバー（20）のボルト通し孔（24）も下側のものが基準位置になっており、この下側のステー（17）及びボルト通し孔（24）の高さ方向の位置が左右で揃えられている。
【００２８】
このように、上記ステー（17）は、ターミナルボックス（10）における相対する辺に、異なるピッチ（P1，P2）で設けられている。このことにより、ターミナルボックス（10）に対してターミナルカバー（20）を上下逆向きに装着することができないようになっている。つまり、上記ステー（17）の配置構造が、ターミナルボックス（10）に対してターミナルカバー（20）を取り付ける位置と方向を一意的に決定する、本発明の誤装着防止機構（30）を構成している。
【００２９】
この誤装着防止機構（30）は、ターミナルボックス（10）及びターミナルカバー（20）を上下及び左右に非対称の形状に形成することによって、ターミナルボックス（10）に対してターミナルカバー（20）を正規の位置から上下に反転させると、ターミナルカバー（20）のボルト通し孔（24）に通されたボルト（18）がステー（17）に対する正規の取付位置からずれるようにしたものである。
【００３０】
また、上記ターミナルカバー（20）の内面には、上記各ボルト通し孔（24）と隣接してＬ型のストッパ（25）が設けられている。各ストッパ（25）は、フラットバーを折り曲げて形成したものであり、基部（25a）と、この基部（25a）から起ち上げられた位置決め部（25b）とを有している。そして、各ストッパ（25）は、位置決め部（25b）の高さが同一であり、かつ、位置決め部（25b）の外面がボルト通し孔（24）の接線にほぼ一致するように配置されている。図２（Ｄ）に示すようにターミナルカバー（20）をターミナルボックス（10）にボルト（18）で締め付けたとき、このストッパ（25）によりパッキン（23）の潰れ代が一定に保たれて、その潰れ代以上に潰れることがないようになっている。
【００３１】
なお、上記ターミナルボックス（10）及びターミナルカバー（20）は、ステー（17）やストッパ（25）も含めてステンレス鋼板により構成され、全体に防食塗装が施されている。これは、特に溶接部が錆びて腐食してしまうのを防止するためである。
【００３２】
−運転動作−
このコンテナ用冷凍装置の運転時は、電動機に通電して圧縮機構を駆動する。このことにより圧縮機構で圧縮された冷媒が圧縮機（1）から吐出され、冷媒回路内を循環する。冷媒回路では、この圧縮機（1）での圧縮行程、凝縮器での凝縮行程、膨張機構での膨張行程、そして蒸発器での蒸発行程が順に行われ、これらの行程が繰り返されることで冷凍サイクルが行われる。その際、冷媒回路の蒸発器を通過するコンテナの庫内空気が冷媒に吸熱されて、該庫内空気が冷却される。
【００３３】
ここで、冷凍装置の点検時に圧縮機（1）を載せ替える場合などは、予備の圧縮機（1）に付いていたターミナルカバー（20）をターミナルボックス（10）から取り外して電源ケーブル（9）を接続し、ターミナルカバー（20）を再度ターミナルボックス（10）に取り付けることになる。その際、予備の圧縮機（1）はターミナルボックス（10）に既にターミナルカバー（20）が長期間にわたって取り付けられたまま保存されているのが普通であり、その場合、パッキン（23）には変形跡が付いている。
【００３４】
本前提技術では、左右のステー（17）のピッチが異なっているため、ターミナルカバー（20）をターミナルボックス（10）に再び装着するときに、ターミナルボックス（10）に対してターミナルカバー（20）を逆向きに取り付けることはできない。逆に言うと、ターミナルカバー（20）は、ターミナルボックス（10）から取り外す前と必ず同じ向きに取り付けられることになる。
【００３５】
−前提技術の効果−
この前提技術によれば、冷凍装置に圧縮機（1）を載せ替えるときなどに、ターミナルカバー（20）をターミナルボックス（10）から取り外して電源ケーブル（9）をターミナルに接続し、その後にターミナルカバー（20）を再びターミナルボックス（10）に取り付けるときに、ターミナルカバー（20）の向きと位置が取り外す前と必ず同じになる。なお、通常はボルト通し孔（24）がボルト（18）の外径よりも若干大きく形成されるため、ボルト（18）とボルト通し孔（24）の寸法差分だけはターミナルカバー（20）の取付位置に誤差が生じるが、ボルト（18）をステー（17）に締め付けるとパッキン（23）に形成されている変形跡がターミナルボックス（10）の開口端面（11a）に一致するようにターミナルカバー（20）が移動し、上記の誤差が吸収される。したがって、パッキン（23）が元と同じ位置でターミナルボックス（10）の開口端面（11a）を塞ぐから、パッキン（23）の変形跡とターミナルボックス（10）の開口端面（11a）の位置ずれによる隙間が生じない。そのため、ターミナルカバー（20）の再装着後にターミナルボックス（10）の防水性が損なわれることはない。
【００３６】
また、本前提技術ではストッパ（25）によってパッキン（23）の潰れ代を規制している。このようにしているのは、ストッパ（25）を設けない場合はボルト（18）を締め付けすぎてパッキン（23）が断裂するおそれがあるのを防止するためであり、本前提技術ではパッキン（23）の断裂のおそれがないので、その点でもターミナルボックス（10）の防水性を確保できる。
【００３７】
《発明の実施形態》
図３は、本発明の実施形態に係るターミナルボックス（10）とターミナルカバー（20）の形状を示す図であり、図３（Ａ）はターミナルボックス（10）の正面図、図３（Ｂ）はターミナルボックス（10）の底面図、図３（Ｃ）はターミナルカバー（20）の背面図、図３（Ｄ）はターミナルボックス（10）にターミナルカバー（20）を取り付けた状態の要部断面図である。
【００３８】
図２の例では、ボックス本体（11）のステー（17）のピッチ（P1，P2）を左右で変えるようにしていたが、この図３の実施形態では、ステー（17）の左右のピッチは同じにして、ボックス本体（11）の開口端面（11a）からステー（17）の取付面（17b）までの奥行き寸法（L1，L2）を左右で変えるようにしている。
【００３９】
また、この実施形態では、ターミナルカバー（20）に別部材のストッパ（25）は設けずに、折り返し部（22）の折り返し寸法を上記奥行き寸法（L1，L2）に合わせて左右で異ならせるようにしており、この折り返し部（22）をステー（17）の取付面（17b）に当接させることで折り返し部（22）にストッパ（25）の機能を持たせている。左右のステー（17）の奥行き方向の位置が異なるため、左右のボルト（18）も長さが異なるものにしている。
【００４０】
その他の構成は図２の例と同じであるため、具体的な説明は省略する。
【００４１】
このようにしても、ターミナルカバー（20）をターミナルボックス（10）から取り外した後、再び取り付けるときに、向きを間違って装着してしまうのを防止できる。したがって、ターミナルボックス（10）の防水性を確保できる。
【００４２】
なお、この例ではステー（17）のピッチを左右で同じにしているが、図２の例と同様に左右で異ならせてもよい。
【００４３】
また、この例では、ターミナルカバー（20）に別部材のストッパ（25）を設けなくてよいため、溶接が不要となる。そのため、溶接部の防食性を得るために図２の例では必要であった塗装が不要となる。
【００４４】
（前提技術の変形例）
図２の例では、ボックス本体（11）の左側板（15）のステー（17）のピッチ（P1）を右側板（16）のステー（17）のピッチ（P2）より大きくしているが、逆に左側板（15）のステー（17）のピッチ（P1）を右側板（16）のステー（17）のピッチ（P2）より小さくしてもよい。このようにしても、図２の例と同様の効果を奏することが可能である。
【００４５】
また、ステー（17）をボックス本体（11）の左右の側板（15，16）ではなく、天板（13）及び底板（14）に２つずつ設けて、上下でピッチを異ならせるようにしてもよい。
【００４６】
《発明の参考技術》
本発明の参考技術は、ターミナルボックス（10）とターミナルカバー（20）の構造を上記前提技術及び実施形態とは異なるようにした例である。圧縮機（1）自体は上記前提技術と同じ構造であるため、ターミナルボックス（10）及びターミナルカバー（20）以外の部分については説明を省略する。
【００４７】
図４は、この参考技術のターミナルボックス（10）とターミナルカバー（20）の形状を示す図であり、図４（Ａ）はターミナルボックス（10）の正面図、図４（Ｂ）はターミナルボックス（10）の底面図、図４（Ｃ）はターミナルカバー（20）の背面図、図４（Ｄ）はターミナルボックス（10）にターミナルカバー（20）を取り付けた状態の要部断面図である。
【００４８】
この参考技術のターミナルボックス（10）は、ボックス本体（11）の固定板（12）の形状が正面から見てほぼ台形であり、下底より上底が長く、台形のコーナー部にはアールが付けられている。そして、この固定板（12）から天板（13）及び底板（14）と左右の側板（15，16）とが湾曲したコーナー部を介して起ち上げられており、ボックス本体（11）がプレート材の深絞りにより一体形成されている点は上記前提技術と同じである。
【００４９】
左右の側板（15，16）には、ステー（17）が取り付けられている。このステー（17）は、上記前提技術とは異なり、左右とも同じピッチで配置され、かつ左右対称の位置に設けられている。固定板（12）には、上記前提技術と同様に内部にターミナルが位置する開口（12a）が設けられている。
【００５０】
ターミナルカバー（20）は、ボックス本体（11）よりも一回り大きなパッキン（23）が裏面に固着された閉塞板（21）と、この閉塞板（21）の周縁部に設けられた折り返し部（22）とから構成されている。閉塞部の幅はパッキン（23）の幅よりも広くなっていて、パッキン（23）の端縁と折り返し部（22）との間にボルト通し孔（24）が形成されている。このボルト通し孔（24）は、ステー（17）のねじ穴（17a）に対応する位置に形成されている。また、ターミナルカバー（20）の裏面には、ステー（17）と当接してパッキン（23）の潰れ代を規制するストッパ（25）が設けられている。
【００５１】
この参考技術では、ターミナルボックス（10）とターミナルカバー（20）は台形であるため、左右には対称であるが、上下には非対称である。そして、この構造を採用することが、本発明の誤装着防止機構（30）になっている。なお、この参考技術においても、ステー（17）のピッチを左右で異ならせて、それに合わせた位置にボルト通し孔（24）を形成するようにしてもよい。
【００５２】
この参考技術においても、冷凍装置の点検時に予備の圧縮機（1）のターミナルカバー（20）をターミナルボックス（10）から取り外し、圧縮機（1）の載せ替えを行った後にターミナルカバー（20）を再びターミナルボックス（10）に取り付けるときに、上下非対称の形状を採用したためにターミナルカバー（20）の向きと位置が取り外す前と必ず同じになる。したがって、パッキン（23）が元と同じ位置でターミナルボックス（10）の開口端面（11a）を塞ぐから、パッキン（23）の変形跡とターミナルボックス（10）の開口端面（11a）の位置ずれによる隙間が生じない。そのため、ターミナルカバー（20）の再装着後にターミナルボックス（10）の防水性が損なわれることはない。なお、ボルト（18）とボルト通し孔（24）の寸法差分だけはターミナルカバー（20）の取付位置に誤差が生じるのに対して、ボルト（18）をステー（17）に締め付けるとパッキン（23）に形成されている変形跡がターミナルボックス（10）の開口端面（11a）に一致するようにターミナルカバー（20）が移動し、上記の誤差が吸収される点も上記前提技術と同じである。
【００５３】
また、ストッパ（25）によってパッキン（23）の潰れ代を規制することにより、パッキン（23）の断裂のおそれがないからターミナルボックス（10）の防水性を確保できることも、上記前提技術と同じである。
【００５４】
−参考技術の変形例−
（変形例１）
図５は、参考技術の変形例１に係るターミナルボックス（10）とターミナルカバー（20）の形状を示す図であり、図５（Ａ）はターミナルボックス（10）の正面図、図５（Ｂ）はターミナルボックス（10）の底面図、図５（Ｃ）はターミナルカバー（20）の背面図、図５（Ｄ）はターミナルボックス（10）にターミナルカバー（20）を取り付けた状態の要部断面図である。
【００５５】
図４の例では、ターミナルカバー（20）に別部材のストッパ（25）を設けていたが、この図５の例では、ターミナルカバー（20）に別部材のストッパ（25）は設けずに、折り返し部（22）の折り返し寸法を、ボックス本体（11）の開口端面（11a）からステー（17）の取付面（17b）までの奥行き寸法に合わせて、この折り返し部（22）をステー（17）の取付面に当接させることで折り返し部（22）にストッパ（25）の機能を持たせている。
【００５６】
防食塗装が不要であることを含めてその他の構成は図４の例と同じであるため、具体的な説明は省略する。
【００５７】
このようにしても、ターミナルカバー（20）をターミナルボックス（10）から取り外した後、再び取り付けるときに、向きを間違って装着してしまうのを防止できる。したがって、ターミナルボックス（10）の防水性を確保できる。
【００５８】
（変形例２）
図６は、参考技術の変形例２に係るターミナルボックス（10）とターミナルカバー（20）の形状を示す図であり、図６（Ａ）はターミナルボックス（10）の正面図、図６（Ｂ）はターミナルボックス（10）の底面図、図６（Ｃ）はターミナルカバー（20）の背面図、図６（Ｄ）はターミナルボックス（10）にターミナルカバー（20）を取り付けた状態の要部断面図である。
【００５９】
この変形例２は、別部材のストッパ（25）を設けていない点では図５の変形例１と同じであるが、変形例１ではターミナルカバー（20）の折り返し部（22）にストッパ（25）の機能を持たせていたのに対して、ステー（17）の先端に折り返し部（17c）を設けてこれにストッパ（25）の機能を持たせている点が図５の変形例１とは異なっている。このストッパ（25）は、ターミナルカバー（20）の裏面におけるパッキン（23）が設けられていない部分に当接するように寸法構成されている。
【００６０】
この場合も、防食塗装が不要である点を含めてその他の構成は図５の例と同じであるため、具体的な説明は省略する。
【００６１】
このようにしても、ターミナルカバー（20）をターミナルボックス（10）から取り外した後、再び取り付けるときに、向きを間違って装着してしまうのを防止できる。したがって、ターミナルボックス（10）の防水性を確保できる。
【００６２】
《その他の実施形態》
上記実施形態については、以下のような構成としてもよい。
【００６３】
例えば、上記実施形態、前提技術及び参考技術では、ターミナルボックス（10）を正面から見て縦長の長方形や、上底が下底より長い左右対称の台形に基づいた形状にしているが、ターミナルボックス（10）の形状はこれらに限らず、他の形状にしてもよい。例えば、上記参考技術の上下が逆になった台形にしてもよいし、台形の一方の側辺が上底及び下底に対して直角になるようにしてもよい。
【００６４】
また、ターミナルカバー（20）の向きを変えてターミナルボックス（10）に取り付けることができない構造である限りは、ステー（17）の配置やターミナルボックス（10）の形状などは適宜変更してもよい。
【００６５】
また、上記実施形態、前提技術及び参考技術ではコンテナ用冷凍装置に用いる圧縮機（1）に本発明を適用した例を説明したが、本発明は、コンテナ用以外の冷凍装置であっても防水性が必要な圧縮機（1）に対して適用すれば効果的である。
【００６６】
なお、以上の実施形態は、本質的に好ましい例示であって、本発明、その適用物、あるいはその用途の範囲を制限することを意図するものではない。
【産業上の利用可能性】
【００６７】
以上説明したように、本発明は、圧縮機のターミナルボックスにおけるターミナルカバーの取付構造について有用である。
【図面の簡単な説明】
【００６８】
【図１】本発明の前提技術に係る圧縮機の外観図である。
【図２】前提技術のターミナルボックスとターミナルカバーの形状を示す図であり、図２（Ａ）はターミナルボックスの正面図、図２（Ｂ）はターミナルボックスの底面図、図２（Ｃ）はターミナルカバーの背面図、図２（Ｄ）はターミナルボックスにターミナルカバーを取り付けた状態の要部断面図である。
【図３】実施形態の変形例に係るターミナルボックスとターミナルカバーの形状を示す図であり、図３（Ａ）はターミナルボックスの正面図、図３（Ｂ）はターミナルボックスの底面図、図３（Ｃ）はターミナルカバーの背面図、図３（Ｄ）はターミナルボックスにターミナルカバーを取り付けた状態の要部断面図である。
【図４】参考技術のターミナルボックスとターミナルカバーの形状を示す図であり、図４（Ａ）はターミナルボックスの正面図、図４（Ｂ）はターミナルボックスの底面図、図４（Ｃ）はターミナルカバーの背面図、図４（Ｄ）はターミナルボックスにターミナルカバーを取り付けた状態の要部断面図である。
【図５】参考技術の変形例１に係るのターミナルボックスとターミナルカバーの形状を示す図であり、図５（Ａ）はターミナルボックスの正面図、図５（Ｂ）はターミナルボックスの底面図、図５（Ｃ）はターミナルカバーの背面図、図５（Ｄ）はターミナルボックスにターミナルカバーを取り付けた状態の要部断面図である。
【図６】参考技術の変形例２に係るターミナルボックスとターミナルカバーの形状を示す図であり、図６（Ａ）はターミナルボックスの正面図、図６（Ｂ）はターミナルボックスの底面図、図６（Ｃ）はターミナルカバーの背面図、図６（Ｄ）はターミナルボックスにターミナルカバーを取り付けた状態の要部断面図である。
【符号の説明】
【００６９】
1   圧縮機
2   ケーシング
10  ターミナルボックス
11a 開口端面
15  左側板
16  右側板
17  ステー（取付部）
18  ボルト（締結部材）
20  ターミナルカバー
23  パッキン
30  誤装着防止機構
【図１】
0004803163.tif 000002
【図２】
0004803163.tif 000003
【図３】
0004803163.tif 000004
【図４】
0004803163.tif 000005
【図５】
0004803163.tif 000006
【図６】
0004803163.tif 000007